(57)【要約】【課題】  ドキュメントを表示記録する電子ペーパーＥＰ等の媒体と情報処理装置４０とを連携させて、情報処理装置４０によるドキュメント電子データに対する処理を容易且つユーザが直感的に理解し易い作法で実現する。【解決手段】  情報処理装置４０は、電子ペーパーＥＰが当該情報処理装置の画面４４に対して所定の位置Ｅ１、Ｅ２に位置したことをセンサ４１で検出し、電子ペーパーＥＰから表示記録しているドキュメント電子データ又はドキュメントＩＤを取得して、当該ドキュメントの電子データをメモリ上のファイルに転送する等の所定の処理を行う。ユーザは電子ペーパーＥＰを情報処理装置の画面４４に近付ける作法を行うことにより、当該電子ペーパーＥＰに表示記録されているドキュメント電子データを情報処理装置４０により処理させることができる。【選択図】  図６
2005267204.tif 000002
【特許請求の範囲】
【請求項１】
ドキュメントを表示記録する媒体と当該ドキュメントの電子データを処理する情報処理装置とを連携させる情報処理システムであって、
前記媒体は、表示記録しているドキュメントに係る情報を保持し、
前記情報処理装置は、前記情報を取得するドキュメント情報取得手段と、当該情報処理装置の表示画面に対して前記媒体が所定の位置に位置したことを検出するセンサと、前記センサの検出結果に応じて前記情報に基づいて当該ドキュメントの電子データに所定の処理を行うデータ処理手段と、を備えたことを特徴とする情報処理システム。
【請求項２】
請求項１に記載の情報処理システムにおいて、
前記データ処理手段は、前記センサの検出結果に応じて、前記表示画面にフォルダアイコンを表示し、当該フォルダアイコンで指し示されるメモリ上のフォルダファイルに前記媒体に表示記録されているドキュメントの電子データを転送する処理を行うことを特徴とする情報処理システム。
【請求項３】
請求項１に記載の情報処理システムにおいて、
前記データ処理手段は、前記センサの検出結果に応じて、前記表示画面に前記媒体と当該表示画面に表示されているアイコンとの位置関係を示す画像を表示し、前記表示画面上で前記媒体が重なったアイコンで指し示される処理を前記媒体に表示記録されているドキュメントの電子データに対して行うことを特徴とする情報処理システム。
【請求項４】
請求項２又は請求項３に記載の情報処理システムにおいて、
所定の位置として、第１の位置と、該第１の位置より前記表示画面に接近した第２の位置とが設定され、
前記データ処理手段は、該第１の位置に前記媒体が位置したときに該表示画面への表示処理を行い、該第２の位置に前記媒体が位置したときにドキュメントの電子データに対して処理を行うことを特徴とする情報処理装置。
【請求項５】
請求項１乃至請求項４のいずれか１項に記載の情報処理システムにおいて、
前記媒体が保持するドキュメントに係る情報は表示記録しているドキュメントを識別する情報であり、
前記情報処理装置はドキュメントの電子データを保持するドキュメント記憶手段を有し、前記データ処理手段は、前記媒体から取得したドキュメント識別情報に該当するドキュメントの電子データを前記ドキュメント記憶装置から取得して所定の処理を行うことを特徴とする情報処理システム。
【請求項６】
請求項１乃至請求項４のいずれか１項に記載の情報処理システムにおいて、
前記媒体は、ドキュメントを表示記録する表示部と、該ドキュメントに係る情報として表示記録しているドキュメントの電子データを保持するメモリと、前記メモリに保持されたドキュメント電子データを送信する通信手段と、を有した携帯可能な情報表示記録媒体であり、
前記情報処理装置は前記情報表示記録媒体からドキュメントの電子データを受信する通信手段を有し、前記データ処理手段は受信したドキュメントの電子データに所定の処理を行うことを特徴とする情報処理システム。
【請求項７】
ドキュメントを表示記録する媒体と当該ドキュメント内容に応じた処理を行う情報処理装置とを連携させる情報処理システムであって、
前記媒体は、表示記録しているドキュメントに係る情報又は自己を識別する情報を保持し、
前記情報処理装置は、前記媒体に保持されたドキュメントに係る情報又は識別情報を取得する情報取得手段と、当該情報処理装置の表示画面に対して前記媒体が所定の位置に位置したことを検出するセンサと、前記媒体が所定の位置に位置したときに取得した前記情報に基づいて当該情報処理装置に対する所定の処理を行う制御手段と、を備えたことを特徴とする情報処理システム。
【請求項８】
請求項７に記載の情報処理システムにおいて、
所定の位置として、第１の位置と、該第１の位置より表示画面に接近した第２の位置とが設定され、
前記情報処理装置の制御手段は、該第１の位置に前記媒体が位置したときに前記表示画面に処理内容を示す画像を表示し、該第２の位置に前記媒体が位置したときに当該処理を実行することを特徴とする情報処理装置。
【請求項９】
ドキュメントを表示部に表示記録する携帯可能な情報表示記録媒体と、当該ドキュメントの電子データを処理する情報処理装置とを連携させる情報処理システムであって、
前記情報表示記録媒体は、ドキュメントの電子データを前記情報処理装置から受信する通信手段と、受信した電子データに基づいてドキュメントを前記表示部に表示記録するデータ処理手段と、を有し、
前記情報処理装置は、前記情報表示記録媒体へドキュメントの電子データを送信する通信手段と、当該情報処理装置の表示画面に対して前記情報表示記録媒体が所定の位置に位置したことを検出するセンサと、前記センサの検出結果に応じて当該ドキュメントの電子データを送信させるデータ処理手段と、を備えたことを特徴とする情報処理システム。
【請求項１０】
ドキュメントを表示記録する媒体と、当該ドキュメントの電子データを処理する情報処理装置とを連携させる情報処理システムであって、
前記媒体は表示記録しているドキュメントに係る情報を保持し、
前記情報処理装置は、前記媒体に保持されたドキュメントに係る情報を取得するドキュメント情報取得手段と、当該情報処理装置の表示画面に対して前記媒体が所定の位置に位置したことを検出するセンサと、前記媒体が所定の位置に位置したことに応じて取得したドキュメントに係る情報に基づいて当該ドキュメントを表示記録した他の媒体を生成するデータ処理手段と、を備えたことを特徴とする情報処理システム。
【請求項１１】
ドキュメントを表示記録する媒体と当該ドキュメントの電子データを処理する情報処理装置とを連携させる情報処理方法であって、
前記媒体は、表示記録しているドキュメントに係る情報を保持し、
前記情報処理装置のドキュメント情報取得手段が、前記媒体に保持されたドキュメントに係る情報を取得し、
当該情報処理装置のセンサが、表示画面に対して前記媒体が所定の位置に位置したことを検出し、前記データ処理手段が、前記センサの検出結果に応じて取得したドキュメントに係る情報に基づいて当該ドキュメントの電子データに所定の処理を行うことを特徴とする情報処理方法。
【請求項１２】
ドキュメントを表示記録する媒体と当該ドキュメント内容に応じた処理を行う情報処理装置とを連携させる情報処理方法であって、
前記媒体は、表示記録しているドキュメントに係る情報又は自己を識別する情報を保持し、
前記情報処理装置の情報取得手段が、前記媒体に保持されたドキュメントに係る情報又は識別情報を取得し、
前記情報処理装置のセンサが、前記表示画面に対して前記媒体が所定の位置に位置したことを検出し、
前記情報処理装置の制御手段が、前記センサの検出結果に応じて取得した前記情報に基づいて当該情報処理装置に対する所定の処理を行うことを特徴とする情報処理方法。
【請求項１３】
ドキュメントを表示部に表示記録する携帯可能な情報表示記録媒体と、当該ドキュメントの電子データを処理する情報処理装置とを連携させる情報処理方法であって、
前記情報処理装置のセンサが、当該情報処理装置の表示画面に対して前記情報表示記録媒体が所定の位置に位置したことを検出し、
前記情報処理装置のデータ処理手段が、前センサの検出結果に応じてドキュメント電子データを通信手段により送信し、
前記情報表示記録媒体の通信手段が、ドキュメントの電子データを前記情報処理装置から受信し、
前記情報表示記録媒体のデータ処理手段が、受信した電子データに基づいてドキュメントを前記表示部に表示記録することを特徴とする情報処理方法。
【請求項１４】
ドキュメントを表示記録する媒体と、当該ドキュメントの電子データを処理する情報処理装置とを連携させる情報処理方法であって、
前記情報処理装置の情報取得手段が、前記媒体に保持されたドキュメントに係る情報を取得し、
前記情報処理装置のセンサが、当該情報処理装置の表示画面に対して前記媒体が所定の位置に位置したことを検出し、
前記情報処理装置のデータ処理手段が、前記センサの検出結果に応じて取得したドキュメントに係る情報に基づいて当該ドキュメントを表示記録した他の媒体を生成することを特徴とする情報処理方法。
【発明の詳細な説明】
【技術分野】
【０００１】
本発明は、ドキュメント電子データを処理するコンピュータ等の情報処理装置と、ドキュメントを表示記録する用紙や電子ペーパー等の媒体とを連携せて、ドキュメント電子データに対する処理や情報処理装置に対する操作等を実現する技術に関する。
【背景技術】
【０００２】
パーソナルコンピュータ等により構成される情報処理装置を利用して、画像やテキスト等の様々なメディアの電子データを扱って、ドキュメントの作成、編集、閲覧等がなされている。
このような電子データ化されているドキュメントは、一般的には、紙媒体である用紙に印刷されて表示記録され、ユーザの閲覧に供されている。また、情報処理機器の発展に伴って、ドキュメント電子データをＰＤＡ等のモバイルコンピュータや携帯電話機に転送し、ＰＤＡや携帯電話機に備えられて表示画面にドキュメントを表示記録してユーザの閲覧に供することも行われている。
【０００３】
近年では、紙媒体である用紙にとって代わることが可能なドキュメント閲覧のための媒体として、用紙の如く柔軟な薄型でドキュメント画像を表示部に無電源状態で表示記録して保持することができる電子ペーパーが開発されている。
電子ペーパーは、無電源状態でドキュメントを表示保持する表示部を有した装置であり、その表示部へのドキュメント画像の書き込み形式で大別すると、ドキュメント電子データに基づいて自己でドキュメント画像を表示部に書き込む機能を有する自己書き込み型電子ペーパーと、投影されたドキュメント画像を表示部に保持する光書き込み型電子ペーパーとがある。
このような電子ペーパーは、用紙と異なって表示部に表示記録したドキュメント画像を消去したり上書きすることが可能であり、表示記録する情報を更新したり、繰り返し使用することができるので紙資源の節約等の観点からも利用促進が望まれている。
【０００４】
なお、データ通信に関する技術として、ユーザによるスイッチ操作に応じて通信機能を有したシート間で、ユーザによるスイッチ操作に応じて相互にデータ通信を行う発明が知られている（特許文献１参照。）。
また、情報処理装置への操作入力に関する技術として、情報処理装置の表示画面にペンや指を近づけることにより、当該画面上での情報処理操作の操作を行えるようにした発明が知られている（特許文献２、特許文献３参照。）。
【特許文献１】特開２００３―１５０１００号公報。
【特許文献２】特開２００３―２８０８０３号公報。
【特許文献３】特開平９―１３４２６９号公報。
【発明の開示】
【発明が解決しようとする課題】
【０００５】
上記のように、近年では、ドキュメントの表示記録による閲覧に利用することができる媒体として、例えば、用紙、電子ペーパー、携帯電話機、ＰＤＡ等といった様々な媒体がある。
しかしながら、ドキュメントの電子データに対する処理の中心的な役割を司る情報処理装置と、これら媒体との間で関連付けてドキュメント処理を行おうとする場合には、ユーザは媒体や情報処理装置に対する煩雑な操作を行わなければならなかった。
また、情報処理装置自体への操作も同様であり、ユーザは情報処理装置に対する煩雑な操作を行わなければならなかった。
【０００６】
本発明は、上記従来の事情に鑑みなされたもので、ドキュメントを表示記録する媒体と情報処理装置とを連携せることにより、ドキュメント電子データに対する処理を、容易且つユーザが直感的に理解し易い作法で実現することを目的とする。
また、本発明は、上記従来の事情に鑑みなされたもので、ドキュメントを表示記録する媒体と情報処理装置とを連携せることにより、情報処理装置に対する操作入力を、容易且つユーザが直感的に理解し易い作法で実現することを目的とする。
【課題を解決するための手段】
【０００７】
本発明は、ドキュメントを表示記録する媒体と当該ドキュメントの電子データを処理する情報処理装置とを連携させる情報処理システムとして実施され、媒体は表示記録しているドキュメントに係る情報を保持し、情報処理装置は、媒体に保持されたドキュメントに係る情報を取得するドキュメント情報取得手段と、当該情報処理装置の表示画面に対して媒体が所定の位置に位置したことを検出するセンサと、媒体が所定の位置に位置したことに応じて取得したドキュメントに係る情報に基づいて当該ドキュメントの電子データに所定の処理を行うデータ処理手段と、を備えている。
したがって、ユーザが媒体を情報処理装置の表示画面に近付ける作法を行うことにより、当該媒体に表示記録されているドキュメントの電子データが情報処理装置により処理される。
【０００８】
ここで、媒体としては、用紙、電子ペーパー、携帯電話機、ＰＤＡ等といった様々な媒体を用いることができる。例えば、ドキュメントを印刷して表示記録している用紙である場合には、当該用紙に表示記録しているドキュメントを識別するドキュメント識別情報をドキュメントに係る情報として印刷や貼付して保持させておき、情報処理装置では、当該ドキュメント識別情報を読み取って取得し、当該ドキュメント識別情報に対応するドキュメント電子データを自己又はネットワーク上のドキュメント記憶装置から取得して、当該キュメント電子データに対して削除、印刷、所定ファイルへ転送等といった所定の処理を行う。
また、媒体として、ドキュメントを表示記録する表示部と、ドキュメントに係る情報として表示記録しているドキュメントの電子データを保持するメモリと、メモリに保持されたドキュメント電子データを送信する通信手段とを有した電子ペーパーや携帯電話機等の情報表示記録媒体を用いる場合には、情報処理装置は、情報表示記録媒体から受信したドキュメント電子データに基づいて所定の処理を行う。
【０００９】
ここで、情報処理装置のデータ処理手段がフォルダにドキュメント電子データを転送処理する場合には、媒体が所定の位置に位置したことに応じて、表示画面にフォルダアイコンを表示し、当該フォルダアイコンで指し示されるメモリ上のフォルダファイルに媒体に表示記録されているドキュメントの電子データを転送して、ユーザに対して作法に基づく処理内容を直感し易い形態で提示する。
また、  情報処理装置のデータ処理手段は、媒体が所定の位置に位置したことに応じて、表示画面に媒体と当該表示画面に表示されているアイコンとの位置関係を示す画像を表示し、表示画面上で媒体が重なったアイコンで指し示される処理を媒体に表示記録されているドキュメントの電子データに対して行う。例えば、データ転送、印刷、削除等といったアイコンを表示画面に表示しておき、表示画面に近付けられた媒体の影画像を媒体の変位に応じて当該表示画面に表示し、当該影画像が重なったアイコンの処理をドキュメント電子データに行う。したがって、ユーザ媒体を表示画面上の所望のアイコンに近付ける作法を行うことにより、データ転送、印刷、削除等といった様々な処理を選択してドキュメント電子データに行うことができる。
【００１０】
ここで、センサ検知される所定の位置は、第１の位置と、第１の位置より表示画面に接近した第２の位置とを設定し、情報処理装置のデータ処理手段は、第１の位置に媒体が位置したときに表示画面へのアイコン表示や影画像表示といった表示処理を行い、第２の位置に媒体が位置したときにドキュメント電子データに対して所定の処理を行う。したがって、ユーザは、処理がなされることを第１の位置で認識し、その後、第２の位置へ媒体を移動させることにより処理を実行差せることができる。
【００１１】
また、本発明は、ドキュメントを表示部に表示記録する携帯可能な情報表示記録媒体と、当該ドキュメントの電子データを処理する情報処理装置とを連携させる情報処理システムとして実施することができ、情報表示記録媒体は、ドキュメントの電子データを情報処理装置から受信する通信手段と、受信した電子データに基づいてドキュメントを表示部に表示記録するデータ処理手段と、を有し、情報処理装置は、情報表示記録媒体へドキュメント電子データを送信する通信手段と、当該情報処理装置の表示画面に対して情報表示記録媒体が所定の位置に位置したことを検出するセンサと、情報表示記録媒体が所定の位置に位置したときにドキュメント電子データを送信させるデータ処理手段と、を備えている。
したがって、ユーザが電子ペーパーや携帯電話機等の情報表示記録媒体を情報処理装置の表示画面に近付ける作法を行うことにより、情報処理装置側に保持されているドキュメント電子データが当該情報表示記録媒体に転送され、その表示部に表示記録される。
【００１２】
また、本発明は、ドキュメントを表示記録する媒体と、当該ドキュメントの電子データを処理する情報処理装置とを連携させる情報処理システムとして実施することができ、用紙や電子ペーパー等の媒体は表示記録しているドキュメントに係る情報を（ドキュメントＩＤ、電子データ）を保持し、情報処理装置は、媒体に保持されたドキュメントに係る情報を取得するドキュメント情報取得手段と、当該情報処理装置の表示画面に対して媒体が所定の位置に位置したことを検出するセンサと、媒体が所定の位置に位置したことに応じて取得したドキュメントに係る情報（ドキュメント電子データ、又は、ドキュメントＩＤに基づいて取得したドキュメント電子データ）に基づいて当該ドキュメントを表示記録した他の媒体を生成するデータ処理手段と、を備えている。
したがって、ユーザが用紙や電子ペーパー等の媒体を情報処理装置の表示画面に近付ける作法を行うことにより、当該媒体に表示記録されているドキュメントが印刷や画像書き込み等の処理により他の媒体に表示記録される。
【００１３】
また、本発明は、ドキュメントを表示記録する媒体と当該ドキュメント内容に応じた処理を行う情報処理装置とを連携させる情報処理システムとして実施することができ、媒体は表示記録しているドキュメントに係る情報又は自己を識別する情報を保持し、情報処理装置は、媒体に保持されたドキュメントに係る情報又は識別情報を取得する情報取得手段と、当該情報処理装置の表示画面に対して媒体が所定の位置に位置したことを検出するセンサと、媒体が所定の位置に位置したときに取得した前記情報に基づいて当該情報処理装置に対する所定の処理を行う制御手段と、を備えている。
したがって、ユーザが用紙や電子ペーパー等の媒体を情報処理装置の表示画面に近付ける作法を行うことにより、当該媒体に表示記録されているドキュメント内容の操作指示を情報処理装置に与えて、ドキュメントに記載されている電源のオンオフ、音量の調整、アプリケーションの起動等といった処理を実行させることができる。
【発明の効果】
【００１４】
本発明によると、ユーザがドキュメントを表示記録した媒体を情報処理装置の画面に近付けるといった容易且つ直感的に理解し易い作法を行うことで、情報処理装置を動作させて、ドキュメント電子データに対する処理を実現することができる。
【発明を実施するための最良の形態】
【００１５】
本発明を実施例に基づいて具体的に説明する。
まず、ドキュメントを表示記録する媒体として本発明に用いられる電子ペーパーＥＰについて、図１５〜図２１に示す例を参照して具体的に説明する。
電子ペーパーＥＰには、表示情報の記録方式に違いにより大別して、図１５〜図１８に示す光書き込み型と、図１９〜図２１に示す自己書き込み型とがあり、いずれの形式にあっても電子ペーパーと称せられるように紙の様に薄型で柔軟性を有する装置である。
なお、下記に説明する電子ペーパーＥＰの諸機能は、後述する本発明を実施するシステム態様に応じて取捨選択して電子ペーパーＥＰに備えればよい。
【００１６】
図１５（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示記録する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２にドキュメント画像を無電源状態で表示記録して保持する。なお、表示部２の大きさは任意であり、また、表示部２と処理部３とを着脱可能として、例えばクリップ形式の処理部３を表示部２に装着して接続することにより電子ペーパーＥＰを構成するようにしてもよい。
【００１７】
処理部３には、後述するように表示部２を駆動する電圧を印加するための電極４、外部とデータ通信するための通信部（図示の例では無線部）５、電子データを読み書き自在に保持するメモリ６、後述する所定の処理に位置したときにメモリ６に記録したデータを無線部５から送信する制御部（ＣＰＵ）７、これら機能手段の駆動電力を供給するバッテリ８が設けられている。
【００１８】
例えば、光書き込み型電子ペーパーＥＰは、図１６に示すように液晶パネル１０にドキュメントを画像として表示し、電極４に外部の電源から電圧を印加しながら光書き込み型電子ペーパーＥＰを液晶パネル１０に重ねて光を照射することにより、液晶パネル１０に表示させたドキュメント画像を表示部２に転写して記憶させることができる。
なお、電極４に電圧を印加しながら光書き込み型電子ペーパーＥＰに原稿等のドキュメントを印刷した用紙を重ねて光を照射することによっても、ドキュメント画像を表示部２に転写して記憶させることもでき、要は、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００１９】
光書き込み型電子ペーパーＥＰは、表示部２の断面構造を表す図１８に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２０】
そして、光書き込み型電子ペーパーＥＰは、表示部２の動作原理を表す図１７に示すように、例えば画像書込み用の調光素子パネル（発光パネル）１０に転写するドキュメント画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されているドキュメント画像を上書きすることもでき、このような上書き処理によっても幾度も再使用することができる。
したがって、光書き込み型電子ペーパーＥＰは、紙のように薄く柔軟である性質に加えて、画像の投影により転写されたドキュメント画像を無電源保持する性質があるので、あたかもプリンタや複写機に使用する紙の如く用いることができ、しかも、繰り返し再使用することができる記録媒体である。
【００２１】
図１９（ａ）には自己書き込み型電子ペーパーＥＰを正面視して示し、同図（ｂ）には当該自己書き込み型電子ペーパーＥＰを側面視で示してある。図示の電子ペーパーＥＰはドキュメント画像を表示記録する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパー１と同様に、例えばＡ４版の用紙のような大きさのフレキシブルな薄型表示装置であり、大部分の面積を占める表示部１２の一片に処理部１３が設けられている。なお、光書き込み型電子ペーパー１と同様に、表示部１２の大きさは用途に応じた大きさのものとされ、また、表示部１２と処理部１３とを着脱可能として、例えばクリップ形式の処理部１３を表示部１２に装着して接続することにより電子ペーパーＥＰを構成するようにしてもよい。
【００２２】
処理部１３には、表示部１２を駆動するドライバ１４、外部とデータ通信するための通信部（図示の例では、無線部）１５、電子データを読み書き自在に保持するメモリ１６、後述する所定の処理に位置したときにメモリ１６に記録したデータを無線部１５から送信する制御部（ＣＰＵ）１７、これら機能手段の駆動電力を供給するバッテリ１８、ユーザ操作入力を受け付けるボタン等の操作部１９が設けられている。
図示の自己書き込み型電子ペーパーＥＰは、メモリ１６に記録した履歴を外部の無線装置（図示せず）に無線部１５で無線送信したりドライバ１４の駆動により表示部１２に表示することが可能である、なお、履歴の出力機能としては、このような無線通信機能ではなく、データを外部へ出力するための端子等の外部出力手段であってもよい。
【００２３】
更に、自己書き込み型電子ペーパーＥＰは、光書き込み型電子ペーパーとは異なって、メモリ１６に保持したドキュメント電子データに基づいてドライバ１４が表示部１２にドキュメント画像を書き込んで表示し、また、操作部１９からの操作入力や後述するように受信したドキュメントデータに応じたＣＰＵ１８による処理で、表示するドキュメント画像を切り換え変更することができ、ドライバ１４の駆動電力を除去しても表示部１２にドキュメント画像を表示状態で保持し続ける機能を有している。
自己書き込み型電子ペーパーＥＰは、表示部１２の断面構造を表す図２１に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２４】
そして、自己書き込み型電子ペーパーＥＰは、表示部１２の動作原理を表す図２０に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、電子データに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによる画像情報が表示される。なお、異なる電子データに基づいてドライバ１４を動作させることにより、白色粒子３１と黒色粒子３２とのコントラストにより表示部１２に表示される画像情報を切り換えることができ、幾度も再使用することができる。
したがって、自己書き込み型電子ペーパーＥＰは、紙のように薄く柔軟である性質に加えて、表示部１２に表示した画像情報を無電源保持する性質があるので、あたかも紙の如く用いることができる記録媒体である。
【００２５】
なお、光書き込み型や自己書き込み型等の形式を問わず、無線部、メモリ、バッテリ等といった無線通信機能やメモリ機能部を電子ペーパーの表示部とは別の無線ＩＣタグとして構成し、当該無線ＩＣタグを電子ペーパーに取り付けることにより上記と同様な構成とするようにしてもよい。なお、無線ＩＣタグとした場合等において、バッテリはタグリーダーからの起電力を保持するコンデンサとするようにしてもよい。
【００２６】
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にコンテンツ画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーの表示部としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００２７】
次に、本発明の実施例に係る情報処理システムを説明する。
なお、以下に説明する情報処理システムでは、その態様に応じて、上記のような電子ペーパーＥＰ、紙媒体の用紙、通信機能及びメモリ機能及び表示画面を有する携帯電話機やＰＤＡやモバイルコンピュータといった様々な媒体を用いることができる。
【００２８】
図１には、本発明の第１実施例に係る情報処理システムの機能構成を示してある。
本例の情報処理システムは、用紙Ｐに印刷されたドキュメントに対応する電子データを、パーソナルコンピュータによって構成される情報処理装置４０によって処理させる態様であり、用紙Ｐには印刷により表示記録しているドキュメントを識別するためのドキュメントＩＤコードＣが印刷や貼り付け等によって表示されている。
情報処理装置４０には、センサ４１とＩＤ読み取り装置４２とが設けられており、センサ４１は情報処理装置４０に備えられているディスプレイ装置４３の画面４４に対して用紙Ｐが所定の位置に位置したことを検出し、ＩＤ読み取り装置４２は当該用紙Ｐに表示されたドキュメントＩＤコードＣを画像読み取りする。
【００２９】
情報処理装置４０は、図２に示すように複数のドキュメント電子データをそのドキュメントＩＤコードに対応付けて保持するメモリ４５と、メモリ４５に保持されたドキュメント電子データに対する処理を行うデータ処理手段４６とを有している。本例では、所定の位置として、画面４４の正面のある位置を中心とした範囲を第１の範囲Ｅ１、当該第１の範囲より画面に近付いた位置を中心とした範囲を第２の範囲Ｅ２として、データ処理手段４６が、用紙Ｐが第１の範囲Ｅ１に位置したことをセンサ４１が検出すると所定の処理内容をユーザの直感に訴える表示を画面４４に出力し、更に、用紙Ｐが第２の範囲Ｅ２に位置したことをセンサ４１が検出すると当該処理を実行する。
【００３０】
後述する電子ペーパーＥＰや携帯電話機Ｔについても同様であるが、用紙Ｐの位置検出は、例えば図３に示すように、センサ４１を設定する範囲Ｅ１、Ｅ２を３方向から囲むように配置して、用紙Ｐの３次元位置を検出することにより行うことができ、データ処理手段４６が、検出された用紙Ｐの位置が設定された範囲Ｅ１、Ｅ２内に位置するか否かを判別すればよい。なお、用紙Ｐに光源を設けてこれをカメラ等の光学センサ４１で検出するようにすれば検出精度を高めることができ、また、用紙ＰにＩＤコードＣとしても共用できるＩＤタグ等の発信機能を設けてセンサ４１による受信強度で位置検出を行ってもよい。このようにセンサ４１を、例えば
光源の位置を測定するセンサとし、用紙Ｐや電子ペーパーＥＰに設置した光源の位置を測定する手段としては、特開2003-161603や、本出願人による特願2002-336341、特願2003-002073などに記載の手段が挙げられる。
【００３１】
なお、本例では、第１の範囲Ｅ１と第２の範囲Ｅ２とを設定しているが、１つの範囲として、当該範囲内に用紙Ｐが位置したときに、データ処理手段４６が、上記のような画面４４への表示出力と処理を実行するようにしてもよい。
また、本例では、ドキュメントＩＤをＩＤコードＣとして用紙Ｐに表示していることからＩＤ読み取り装置４２は画像読み取り装置であるが、ＩＤタグとした場合には、読み取り装置４２はＩＤタグからドキュメントＩＤを受信する通寸装置となる。
【００３２】
上記構成の情報処理システムによる処理を、図４を参照して具体的に説明する。
図示の例では、センサ４１をディスプレイ装置４３の上部に設置したカメラとし、データ処理手段４６がカメラ４１で撮影された用紙Ｐを画像認識するものとしている。そして、ドキュメントが印刷された用紙Ｐを画面４４に近付けて第１の範囲Ｅ１内に位置させると、センサ４１によりこれを検知して、データ処理手段４６が用紙を表す画像Ｇを画面４４に表示して当該用紙Ｐが第１の範囲Ｅ１内に入ったことをユーザに示す。そして、用紙Ｐが第２の範囲Ｅ２まで画面４４に接近すると、センサ４１によりこれを検知して、データ処理手段４６がフォルダを表すアイコン画像Ａを画面４４に表示して、当該用紙Ｐに表示記録されているドキュメントの電子データを当該アイコンＡに対応付けたメモリ４５上のホルダに転送する処理を行う。
【００３３】
なお、用紙Ｐが第１の範囲Ｅ１又は第２の範囲Ｅ２に位置したときに、ＩＤ読み取り装置４２が当該用紙ＰからドキュメントＩＤを読み取って、当該ドキュメントＩＤに基づいてデータ処理手段４６がメモリ４５に保持されている該当するドキュメント電子データをフォルダへの転送処理する。
したがって、ユーザは用紙Ｐを画面４４に近付けると行った簡単な作法を行うだけで、用紙Ｐに印刷されたドキュメントの対応データを情報処理装置４０の内部でファイリングすることができる。
【００３４】
図５には、本発明の第２実施例に係る情報処理システムの機能構成を示してある。なお、上記の実施例を同様な部分には同一符号を付して重複する説明は省略する。
本例の情報処理システムは、電子ペーパＥＰに光書き込み又は自己書き込みされたドキュメントに対応する電子データを情報処理装置４０によって処理させる態様であり、電子ペーパーＥＰのメモリ６（１６）には表示部２（１２）に表示記録しているドキュメントの電子データ又は当該ドキュメントを識別するドキュメントＩＤが当該表示記録書において書き込まれている。
また、本例の情報処理システムでは、情報処理装置４０は電子ペーパーＥＰの通信手段５（１５）とデータ通信を行う通信装置４７を有しており、メモリ６（１６）に記録されているドキュメント電子データ又はドキュメントＩＤをデータ通信により取得する。
【００３５】
上記構成の情報処理システムによる処理を、図６を参照して具体的に説明する。
図示の例では、センサ４１をディスプレイ装置４３の上部に設置したカメラとし、データ処理手段４６がカメラ４１で撮影された電子ペーパーＥＰを画像認識するものとしている。そして、ドキュメントを表示記録した電子ペーパーＥＰを画面４４に近付けて第１の範囲Ｅ１内に位置させると、センサ４１によりこれを検知して、データ処理手段４６が電子ペーパーＥＰを表す画像Ｇを画面４４に表示して当該電子ペーパーＥＰが第１の範囲Ｅ１内に入ったことをユーザに示す。そして、電子ペーパーＥＰが第２の範囲Ｅ２まで画面４４に接近すると、センサ４１によりこれを検知して、データ処理手段４６がフォルダを表すアイコン画像Ａを画面４４に表示して、当該電子ペーパーＥＰに表示記録されているドキュメントの電子データを当該アイコンＡに対応付けたメモリ４５上のホルダに転送する処理を行う。
【００３６】
ここで、電子ペーパーＥＰが第１の範囲Ｅ１又は第２の範囲Ｅ２に位置したときに、通信装置４７が当該電子ペーパーＥＰに送信要求を送信する等してアクセスし、電子ペーパーＥＰから表示保持しているドキュメントの電子データ又はドキュメントＩＤを受信する。そして、データ処理手段４６が、受信したドキュメント電子データをメモリ４５に保持されている該当するドキュメント電子データをホルダへの転送処理し、又は、受信したドキュメントＩＤに基づいてメモリ４５に保持されている該当するドキュメント電子データをフォルダへの転送処理する。
したがって、ユーザは電子ペーパーＥＰを画面４４に近付けると行った簡単な作法を行うだけで、電子ペーパーＥＰに表示記録されたドキュメントの対応データを情報処理装置４０の内部でファイリングすることができる。
【００３７】
図７には、本発明の第３実施例に係る情報処理システムの具体例を示してある。なお、上記の実施例を同様な部分には同一符号を付して重複する説明は省略する。
本例の情報処理システムは、携帯電話機Ｔのディスプレイ画面に表示されたドキュメントに対応する電子データを情報処理装置４０によって処理させる態様である。
携帯電話機Ｔは、公知のように、通信機能に加えて、データを読み書き自在に保持するメモリ、ドキュメント等の画像を表示するディスプレイ画面、種々なデータ処理を制御する制御手段を備えており、上記実施例と同様に図１６や図２０に示した電子ペーパーＥＰと同様な機能を奏することができる。
【００３８】
したがって、携帯電話機Ｔのメモリに画面表示しているドキュメントの電子データ又は当該ドキュメントＩＤを書き込んでおき、当該携帯電話機Ｔを画面４４に近付けて第１の範囲Ｅ１内に位置させてセンサ４１により検知させ、データ処理手段４６により携帯電話機Ｔを表す画像Ｇを画面４４に表示させて、当該携帯電話機Ｔが第１の範囲Ｅ１内に入ったことをユーザに示す。そして、携帯電話機Ｔが第２の範囲Ｅ２まで画面４４に接近すると、センサ４１によりこれを検知して、データ処理手段４６がフォルダを表すアイコン画像Ａを画面４４に表示して、当該携帯電話機Ｔに表示記録されているドキュメントの電子データを当該アイコンＡに対応付けたメモリ４５上のホルダに転送する処理を行う。
【００３９】
すなわち、携帯電話機Ｔが第１の範囲Ｅ１又は第２の範囲Ｅ２に位置したときに、通信装置４７が当該携帯電話機Ｔにアクセスして、携帯電話機Ｔから表示しているドキュメントの電子データ又はドキュメントＩＤを受信する。そして、データ処理手段４６が、受信したドキュメント電子データをメモリ４５に保持されている該当するドキュメント電子データをフォルダへの転送処理し、又は、受信したドキュメントＩＤに基づいてメモリ４５に保持されている該当するドキュメント電子データをホルダへの転送処理する。
したがって、ユーザは携帯電話機Ｔを画面４４に近付けると行った簡単な作法を行うだけで、携帯電話機Ｔに表示記録されているドキュメントの対応データを情報処理装置４０の内部でファイリングすることができる。
【００４０】
ここで、情報処理システムにおいて、用紙Ｐ、電子ペーパーＥＰ，携帯電話機Ｔと言ったように様々な媒体を混在して用いる場合には、媒体の種別情報を読み取り或いは受信して、データ処理手段４６が当該種別に応じた画像Ｇを画面４４に表示するようにしてもよい。
また、データ処理手段４６に設定する処理は、フォルダへのデータ転送処理の他に、データ削除や印刷出力等といったような様々なデータ処理とすることができる。
【００４１】
例えば、データ削除処理の場合には、ユーザがドキュメントを表示した電子ペーパーＥＰ等の媒体を所定の位置まで画面４４に近付けると、上記と同等にして、データ処理手段４６が当該ドキュメントの電子データを取得して削除する処理を行い、したがって、ユーザが電子ペーパーＥＰ等の媒体を画面４４に近付けると行った簡単な作法を行うだけで、電子ペーパーＥＰ等の媒体に表示記録されているドキュメントの対応データを情報処理装置４０の内部でメモリ４５から消去することができる。また、例えば、印刷出力処理の場合には、ユーザがドキュメントを表示した携帯電話機Ｔ等の媒体を所定の位置まで画面４４に近付けると、上記と同等にして、データ処理手段４６が当該ドキュメントの電子データを取得してプリンタによる当該ドキュメントの印刷出力を行い、したがって、ユーザが携帯電話機Ｔ等の媒体を画面４４に近付けると行った簡単な作法を行うだけで、携帯電話機Ｔ等の媒体に表示記録されているドキュメントを印刷出力することができる。
【００４２】
この印刷出力処理を更に詳しく説明すると、例えば、図８に示すように、ドキュメントを印刷した用紙Ｐを情報処理装置の画面４４に近付けて、当該用紙の画像Ｇを印刷処理を示すアイコンＡに重ねると、データ処理手段４６がメモリ４５から取得した当該ドキュメントの電子データに基づいて、プリンタ５０から別の用紙Ｐ’にドキュメントを印刷して出力する。
このような印刷処理は、電子ペーパーＥＰに関しては、ドキュメント画像を別の電子ペーパーＥＰに光書き込み又は自己書き込みすることにより行われる。
【００４３】
ここで、上記のようにデータ処理手段４６が種々な処理を行う場合には、ユーザがこれら処理を選択して実行し易くするため、例えば図９に示すようなユーザインタフェースをデータ処理手段４６が画面４４に表示すればよい。
すなわち、ファイリング処理を行うファイリングアイコンＡ１、印刷処理を行う印刷アイコンＡ２、データ削除処理を行う削除アイコンＡ３といったように処理内容を表示する各アイコンを画面４４に表示し、電子ペーパーＥＰ等の媒体が第１の範囲Ｅ１に位置したところで、同図に示すように、センサ４１で検出される位置情報に基づいて、当該媒体の画面４４に対する位置関係をラインＧＬ等の画像で画面４４に表示する。したがって、媒体を変位させるに伴ってラインＧＬは画面上を移動することとなるため、画面表示されたラインＧＬと各アイコンＡ１、Ａ２、Ａ３との位置関係により、ユーザは媒体を何処に位置させればアイコンＡ１、Ａ２、Ａ３の内のいずれかを選択して処理を実行させることができるかを容易に把握でき、正確な操作作法を行うことができる。
【００４４】
図１０には、本発明の第４実施例に係る情報処理システムの機能構成を示してある。なお、上記の実施例を同様な部分には同一符号を付して重複する説明は省略する。
本例の情報処理システムは、用紙Ｐ、電子ペーパーＥＰ、携帯電話機Ｔ、ＰＤＡ等の媒体に表示記録されたドキュメントに対応する処理を、情報処理装置４０に実行させる態様であり、ドキュメントとして表示された操作コマンドを媒体を画面４４に近付けることにより情報処理装置４０に入力するものである。
【００４５】
この操作コマンドの識別は、媒体に表示されたコマンド内容を識別するためのコマンドＩＤを保持させる、又は、媒体毎にコマンドを違えて媒体に各媒体を識別するための媒体ＩＤを保持させることにより実施することができ、用紙Ｐを媒体として用いる場合には、上記のように所定の位置Ｅ１、Ｅ２に位置したことに応じて画像読み取りによりＩＤ情報を情報処理装置４０に入力し、電子ペーパーＥＰや携帯電話機ＴのようにＩＤデータを通信する機能を有する媒体を用いる場合には、上記のように所定の位置Ｅ１、Ｅ２に位置したことに応じてデータ通信によりＩＤ情報を情報処理装置４０に入力すればよい。
【００４６】
図１０には電子ペーパーＥＰを媒体として用いた例を示してあり、電子ペーパーＥＰの表示部には操作コマンドとして情報処理装置の電源をオフさせる「ＯＮ→ＯＦＦ」と言う記述のドキュメントが表示記録されている。
情報処理装置４０には、図１１に示すように予めコマンドＩＤ又は媒体ＩＤと操作コマンドとを対応付けて登録したテーブル４８と、電子ペーパーＥＰがセンサ４１で検出される所定の位置（Ｅ１又はＥ２）に位置したときに、通信装置４７により電子ペーパーＥＰから受信したコマンドＩＤ又は媒体ＩＤに基づいて自装置４０に対する処理を行う制御手段４９とを有している。
【００４７】
上記構成の情報処理システムによると、例えば、操作コマンドを記述したドキュメントを表示記録した電子ペーパーＥＰを画面４４に近付けて第１の範囲Ｅ１内に位置させると、センサ４１によりこれを検知して、制御手段４９が電子ペーパーＥＰから取得したＩＤ情報に基づいてテーブル４８の対応する操作コマンドの表示を画面４４に表示する。そして、電子ペーパーＥＰが第２の範囲Ｅ２まで画面４４に接近すると、センサ４１によりこれを検知して、制御手段４９が当該操作コマンドを実行して、情報処理装置４０の電源を遮断してオフにする。
したがって、媒体にはユーザが操作内容を容易に確認できるようにコマンド内容がドキュメントとして記述されており、ユーザは当該媒体を画面４４に近付けると行った簡単な作法を行うだけで、ドキュメント内容のコマンドを情報処理装置４０に入力して、情報処理装置４０を動作させることができる。
【００４８】
図１２には、本発明の第５実施例に係る情報処理システムの機能構成を示してある。なお、上記の実施例を同様な部分には同一符号を付して重複する説明は省略する。
本例の情報処理システムは、電子ペーパーＥＰ、携帯電話機Ｔ、ＰＤＡ等の通信機能とデータメモリ機能とを有する表示記録媒体に情報処理装置４０からドキュメント電子データを送信して、当該ドキュメント電子データをメモリ記憶させ、更には、表示記録させるものである。なお、電子ペーパーＥＰにより受信したドキュメント電子データに基づいて表示部１２にドキュメントを表示記録する場合には、自己書き込み型の電子ペーパーＥＰで実施される。
【００４９】
図１２には自己書き込み型電子ペーパーＥＰを用いた例を示してあり、情報処理装置４０には、電子ペーパーＥＰが所定の位置に位置したことをセンサ４１が検出すると、ドキュメント電子データを通信装置４７により送信するデータ処理手段４６が設けられている。
上記構成の情報処理システムによる処理を、図１３を参照して具体的に説明する。
図示の例では、センサ４１をディスプレイ装置４３の上部に設置したカメラとし、データ処理手段４６がカメラ４１で撮影された電子ペーパーＥＰを画像認識するものとしている。そして、電子ペーパーＥＰを画面４４に近付けて第１の範囲Ｅ１内に位置させると、センサ４１によりこれを検知して、データ処理手段４６が電子ペーパーを表す画像Ｇ及びデータ転送処理を表すアイコンＡを画面４４に表示して当該電子ペーパーＥＰが第１の範囲Ｅ１内に入ったことをユーザに示す。そして、電子ペーパーＥＰが第２の範囲Ｅ２まで画面４４に接近すると、センサ４１によりこれを検知して、データ処理手段４６がドキュメント電子データを通信装置４７から送信する。
【００５０】
電子ペーパーＥＰでは、情報処理装置４０から送信されたドキュメント電子データを通信部１５で受信してメモリ１６に記憶し、制御部１７が受信したドキュメント電子データに基づいてドライバ１４を駆動して当該ドキュメント画像を表示部１２に書き込んで表示記録する。
なお、本例では、情報処理装置４０が送信するドキュメント電子データは画面４４に現在表示していたドキュメントの電子データとするが、情報処理装置４０にユーザ入力で指定したドキュメントの電子データをデータ処理手段４６がメモリ４５から読み出して送信してもよく、また、電子ペーパーＥＰから表示部１２に表示記録しているドキュメントのドキュメントＩＤを受信して、当該ドキュメントＩＤに対応するドキュメント電子データをデータ処理手段４６がメモリ４５から読み出して送信して、電子ペーパーＥＰが表示記録しているドキュメントを最新のものに更新するようにしてもよい。
【００５１】
図１４には上記構成の情報処理システムによる処理を、媒体として携帯電話機Ｔを用いた例で具体的に示してある。
図示の例でも、上記と同様に、携帯電話機Ｔを情報処理装置の画面４４に近付けて第１の範囲Ｅ１内に位置させると、センサ４１によりこれを検知して、データ処理手段４６が携帯電話機を表す画像Ｇ及びデータ転送処理を表すアイコンＡを画面４４に表示して当該携帯電話機Ｔが第１の範囲Ｅ１内に入ったことをユーザに示す。そして、携帯電話機Ｔが第２の範囲Ｅ２まで画面４４に接近すると、センサ４１によりこれを検知して、データ処理手段４６がドキュメント電子データを通信装置４７から送信する。携帯電話機Ｔでは、情報処理装置４０から送信されたドキュメント電子データを受信してメモリに記憶し、受信したドキュメント電子データに基づいて当該ドキュメント画像を表示部に書き込んで表示記録する。
【図面の簡単な説明】
【００５２】
【図１】本発明の第１実施例に係る情報処理システムの機能構成図である。
【図２】本発明に係るドキュメント電子データとＩＤとの対応付けを説明する図である。
【図３】本発明に係る媒体の位置検出方法を説明する図である。
【図４】本発明の第１実施例に係る情報処理システムの具体例を説明する図である。
【図５】本発明の第２実施例に係る情報処理システムの機能構成図である。
【図６】本発明の第２実施例に係る情報処理システムの具体例を説明する図である。
【図７】本発明の第３実施例に係る情報処理システムの具体例を説明する図である。
【図８】本発明の第３実施例に係る情報処理システムの具体例を説明する図である。
【図９】本発明に係るユーザインタフェースの一例を説明する図である。
【図１０】本発明の第４実施例に係る情報処理システムの機能構成図である。
【図１１】本発明に係るＩＤと操作コマンドとの対応付けを説明する図である。
【図１２】本発明の第５実施例に係る情報処理システムの機能構成図である。
【図１３】本発明の第５実施例に係る情報処理システムの具体例を説明する図である。
【図１４】本発明の第５実施例に係る情報処理システムの具体例を説明する図である。
【図１５】光書き込み型電子ペーパーの一例を示す図である。
【図１６】光書き込み型電子ペーパーの使用方法を説明する図である。
【図１７】光書き込み型電子ペーパーの動作原理を説明する図である。
【図１８】光書き込み型電子ペーパーの構造を説明する図である。
【図１９】自己書き換え型電子ペーパーの一例を示す図である。
【図２０】自己書き換え換え型電子ペーパーの動作原理を説明する図である。
【図２１】自己書き換え型電子ペーパーの構造を説明する図である。
【符号の説明】
【００５３】
ＥＰ：電子ペーパー、  Ｐ：用紙、
Ｔ：携帯電話機、  Ｅ１：第１の範囲（所定の位置）、
Ｅ２：第２の範囲（所定の位置）、  Ｃ：ＩＣコード、
２、１２：表示部、  ５、１５：通信部、
６、１６：メモリ、  ８、１８：制御部、
４０：情報処理装置、  ４１：センサ、
４２：ＩＤ読み取り装置、  ４４：表示画面、
４５：ドキュメント電子データメモリ、  ４６：データ処理手段、
４７：通信装置、  ４８：操作コマンドテーブル、
４９：制御手段、
【図１】
2005267204.tif 000003
【図２】
2005267204.tif 000004
【図３】
2005267204.tif 000005
【図４】
2005267204.tif 000006
【図５】
2005267204.tif 000007
【図６】
2005267204.tif 000008
【図７】
2005267204.tif 000009
【図８】
2005267204.tif 000010
【図９】
2005267204.tif 000011
【図１０】
2005267204.tif 000012
【図１１】
2005267204.tif 000013
【図１２】
2005267204.tif 000014
【図１３】
2005267204.tif 000015
【図１４】
2005267204.tif 000016
【図１５】
2005267204.tif 000017
【図１６】
2005267204.tif 000018
【図１７】
2005267204.tif 000019
【図１８】
2005267204.tif 000020
【図１９】
2005267204.tif 000021
【図２０】
2005267204.tif 000022
【図２１】
2005267204.tif 000023